(57)【特許請求の範囲】
【請求項１】
第１キャビネットと、
前記第１キャビネットに並べて配置される第２キャビネットとを備え、
前記第２キャビネットは、前記第１キャビネットの高さよりも高い位置に、前記第１キャビネット側に向けて引き出すことのできるスライド板と、
前記スライド板の後側部分に対して、下向きの力を加える力印加手段と、
を有することを特徴とするシステムキッチン。
【請求項２】
前記力印加手段は、前記スライド板を引き出したときに、磁力により前記スライド板の前記第２キャビネット側に存する部分に対して下向きの力を加えることを特徴とする請求項１に記載のシステムキッチン。
【請求項３】
本体に設けられるレールまたはガイド溝のいずれか一方と、
前記レールまたはガイド溝のいずれか一方に沿ってほぼ水平方向にスライド可能な前記レールまたはガイド溝のいずれか他方を有するスライドユニットと、
前記スライドユニットの後側部分に対して下向きの力を加える力印加手段と、
を備えることを特徴とする家具。
【請求項４】
前記力印加手段は、前記スライドユニットをスライドさせて引き出したときに、磁力により前記スライドユニットの本体側に存する部分に対して下向きの力を加えることを特徴とする請求項３に記載の家具。
【請求項５】
前記力印加手段は、前記レールまたは前記ガイド溝の一方または双方を磁石により形成したものであることを特徴とする請求項３または４に記載の家具。
【請求項６】
前記ガイド溝は、前記レールの第１面と、それに対向する第２面とを挟み込むようにして構成される第１のガイド部材と、第２のガイド部材とを有し、
第１のガイド部材と、前記レールの第１面とが引き合うように、前記レールの第１面、及び前記第１のガイド部材の磁極が配置され、
前記第２のガイド部材と、前記レールの第２面とが反発するように、前記レールの第２面、及び前記第２のガイド部材の磁極が配置されることを特徴とする請求項５に記載の家具。
【請求項７】
前記スライドユニットは、その底面に前記ガイド溝を有することを特徴とする請求項３から６のいずれかに記載の家具。
【請求項８】
前記スライドユニットは、突起部を有し、
当該本体は、
スライドユニットのスライド時に、前記突起部が通る経路と、
その経路中に形成された、前記スライドユニットのスライド量を制限するストッパを更に備えることを特徴とする請求項３から７のいずれかに記載の家具。
【発明の詳細な説明】
【０００１】
【発明の属する技術分野】
本発明は、家具、及びシステムキッチンに関する。特にこの発明は、利用者にとっての使いやすさを向上させた家具、及びシステムキッチンに関する。
【０００２】
【従来の技術】
図１は、対面式のシステムキッチン５０の斜視図である。システムキッチン５０は、第１のキャビネット５２と第２のキャビネット５５とを組合わせることによって構成される。このシステムキッチン５０は、調理者が食堂の様子を見ながら料理を作れるように、食堂と台所の間に設置される。第１のキャビネット５２の天板４０には、シンク４４、及びコンロ４６が設置されている。第２のキャビネット５５の天板４２は、天板４０の後方であって、天板４０より高い位置に設置される。調理者は、調理した料理を次々と天板４２に置いていき、食堂側で待機している人が、天板４２から料理を食卓に運んでいく。
【０００３】
【発明が解決しようとする課題】
しかしながら、調理時の立ち位置から天板４２までの距離は、それほど近くなく、特に、図示するように、第１キャビネット５２にシンク４４が設けられている場合には、天板４０の奥行きは、６０から７０ｃｍ程度にもなる。そのため、体の小さい女性などには、天板４２に物を置く作業は容易ではない。
【０００４】
さらに、天板４０の奥行きが長いことにも依存するのであるが、利用者は、第２の天板４２の前方部分にしか物を置くことができない。そのため、現状のシステムキッチン５０では、天板４２のスペースが有効に使われていないといえる。
【０００５】
そこで本発明は、上記の課題を解決することのできる家具、及びシステムキッチンを提供することを目的とする。
【０００６】
【課題を解決するための手段】
本発明の第１の形態は、第１キャビネットと、第１キャビネットに並べて配置される第２キャビネットとを備えたシステムキッチンである。このシステムキッチンにおいて、第２キャビネットは、第１キャビネットの高さよりも高い位置に、第１キャビネット側に向けて引き出すことのできるスライド板を有している。スライド板を引き出すことにより、体の小さい利用者でも、料理などを容易にそのスライド板に載せることが可能となる。
【０００７】
また、引き出したスライド板は、その自重や載せられる料理の重さなどにより下方に傾くが、その傾きをできるだけ小さくするために、第２キャビネットは、スライド板の後側部分に対して、下向きの力を加える力印加手段を有することが好ましい。ここで、後側部分とは、スライド板の引き出し方向に対して反対側の部分を示す。後側部分に下向きの力を加えることにより、後側部分にかかる重さにより生じる上向き力に抗し、スライド板の傾斜を低減することが可能となる。この力印加手段は、磁力を与えてもよい。
【０００８】
本発明の第２の形態は、本体に設けられるレールまたはガイド溝のいずれか一方と、レールまたはガイド溝のいずれか一方に沿ってほぼ水平方向にスライド可能なレールまたはガイド溝のいずれか他方を有するスライドユニットと、スライドユニットと本体との間に磁力を印加する磁力印加手段とを備えることを特徴とする家具を提供する。スライドユニットは、スライド式の板、棚、箱状の引き出しなどであってよく、天板の一部をスライド可能としたものであってもよい。
【０００９】
磁力印加手段は、スライドユニットをスライドさせて引き出したときに、スライドユニットの本体側に存する部分が持ち上がらないように、磁力により、本体側に存する部分に対して下向きの力を加える。磁力印加手段は、レールまたはガイド溝の一方または双方を磁石により形成したものであってもよい。ガイド溝は、レールの第１面と、それに対向する第２面とを挟み込むようにして構成される第１のガイド部材と、第２のガイド部材とを有し、第１のガイド部材と、レールの第１面とが引き合うように、レールの第１面、及び第１のガイド部材の磁極が配置され、第２のガイド部材と、レールの第２面とが反発するように、レールの第２面、及び第２のガイド部材の磁極が配置される。
【００１０】
スライドユニットは、その底面にガイド溝を有してもよく、また、スライドユニットは、突起部を有し、当該本体は、スライドユニットのスライド時に、突起部が通る経路と、その経路中に形成された、スライドユニットのスライド量を制限するストッパを更に備えてもよい。
【００１１】
なお、上記の発明の概要は、本発明の必要な特徴の全てを列挙したものではなく、これらの特徴群のサブコンビネーションも又発明となりうる。
【００１２】
【発明の実施の形態】
図２は、実施の形態に係るシステムキッチン１００の斜視図である。システムキッチン１００は、第１キャビネット５２と第２キャビネット５４とを組合わせて構成される。別の実施例においては、第１キャビネット５２と第２キャビネット５４とは、一体として構成されてもよい。システムキッチン１００の設置時、第１キャビネット５２は、台所に向けて配置され、第２キャビネット５４は、食卓に向けて配置される。第１キャビネット５２は、収納用の扉４１や引出４３を備え、上面に天板４０を有する。天板４０には、シンク４４、及びコンロ４６が形成されている。シンク４４とコンロ４６の間には、まな板などを置いて調理するための調理台４７が形成されている。
【００１３】
第２キャビネット５４は、第１キャビネット５２の後方に並べて配置される。第２キャビネット５４は、第１キャビネット５２の高さよりも高い位置に、天板４８を有する。このように、第１キャビネット５２の天板４０と第２キャビネット５４の天板４８とは、階段状に設けられる。第２キャビネット５４は、天板４８の一部の領域に、第１キャビネット５２側に向けて引き出すことのできるスライド板１０を有する。スライド板１０の第１キャビネット５２側の前面には、取っ手１１が設けられている。利用者は、この取っ手１１を持って、スライド板１０を前方に引き出す。この取っ手１１は、コの字型であって、布巾などを掛けることができる形状を有することが好ましい。
【００１４】
図示される例では、スライド板１０が引き出され、スライド板１０の一部が、天板４０の上方に張り出した状態が示されている。天板４８とスライド板１０とは、表面がほぼ同じ高さに設けられることが好ましく、スライドしない状態においては、スライド板１０は、天板４８ａ、４８ｂとともに、第２キャビネット５４の平坦な上面を形成する。スライド板１０を前方に引き出すことで、利用者がスライド板１０上に置いた食材などをとることが容易となり、また、調理した料理をスライド板１０に置くことも容易となる。
【００１５】
このスライド可能な構成は、第２キャビネット５４にレールまたはガイド溝のいずれか一方を設け、そのレールまたはガイド溝のいずれか一方に沿ったレールまたはガイド溝のいずれか他方をスライド板１０に設けることによって実現される。スライド板１０は、少なくとも手前にスライド可能であるのが好ましく、さらには、後方にスライド可能であってもよい。
【００１６】
図３は、スライド板１０の側部にガイド溝を設け、第２キャビネット５４の天板４８の側部にレールを設けた場合に、スライド板１０を引き出したときの、レールとガイド溝の接触状態を示す図である。このとき、レールは天板４８の側部に形成されるため、固定されている。ガイド溝の幅Ｗ２はレールの幅Ｗ１よりも若干大きく形成されるため、スライド板１０を引き出すと、スライド板１０の撓みを無視しても、それらの幅の違いによりスライド板１０が傾くことになる。このとき、レールに対するガイド溝の傾きθは、（Ｗ２−Ｗ１）／ｄで表すことができる。スライド板１０を引き出すほどｄは小さくなり、固定されたレールに対するガイド溝の傾き、すなわちスライド板１０の傾きは大きくなる。実際の使用時には、スライド板１０の自重と、物を載せた場合にはその重さとが加わることによって、スライド板１０に撓みが発生し、引き出したスライド板１０の前端の傾きは、より大きなものとなる。
【００１７】
図４は、スライド板１０を引き出した第２キャビネット５４の上面を示す斜視図である。第２キャビネット５４は、１対のレール２２を備える。このレール２２は、天板４８の切り欠いた領域に形成される側部４９に設けられ、磁石により構成される。また、スライド板１０は、１対のレール２２に対して形成される１対のガイド溝１２、１４を有する。このガイド溝１２、１４は、スライド板１０の側部１５において、レール２２の上面に対向する磁石１８と、レール２２の下面に対向する磁石１６とを配して形成される。このように、ガイド溝１２、１４は、レール２２を挟み込むようにして構成される磁石１６、１８とを有することが好ましいが、磁石１６、１８は必ずしも双方とも必要ではなく、一方のみが存在する構成であってもよい。別の実施例では、ガイド溝が天板４８の側部４９に設けられ、レールがスライド板１０の側部１５に設けられていてもよい。
【００１８】
ガイド溝１２、１４の磁石とレール２２の磁石とは、それらの間に磁力を発生させ、スライド板１０を引き出したときに、スライド板１０の第２キャビネット５４側に存する後端部分が持ち上がらないように、その後端部分に対して下向きの磁力を印加させる。これにより、引き出されたスライド板１０は、下方に引っ張られることとなり、引き出したときに生じるスライド板１０の傾斜、すなわち図３で説明した傾きθを小さくすることができる。このようにして傾斜を小さくする方法は、スライド式の棚、箱状の引き出しなどの各種スライドユニットにも利用することができる。他の実施の形態においては、ガイド溝１２、１４ないしはレール２２のいずれか一方を、磁石を用いて形成してもよい。また、磁石は、永久磁石であっても、電磁石であってもよい。要は、ガイド１２とレール２２の少なくとも一方が磁石を有し、ガイド１２とレール２２の他方が磁石や、金属などの磁性体材料を有すればよい。磁極の配置については図７に関連して後述する。
【００１９】
図５は、第２キャビネット５４の上面からスライド板１０を取り除いたときの状態を示す斜視図である。上面２９において、切欠経路２６、２８が、スライド板１０の引き出し方向と平行に設けられている。それぞれの経路２６、２８は、一端が開口しており他端がストッパ３０により閉じられている。経路２６の開口端は、第２キャビネット５４の一面に存在し、経路２８の開口端は、第２キャビネット５４のその対向面に存在する。ストッパ３０は、スライド板１０のスライド量を制限するために形成される。
【００２０】
レール２２、２４を構成する磁石は、レールの上下両面でその磁極を変化させるように配置される。例えば、レール２２、２４は、ひとつの長い磁石で形成されてもよいし、また短い磁石を直線状に並べることによって形成されてもよい。また、他の実施の形態においては、レールの中心部分が強い磁力を有し、両端に近づくに連れて弱い磁力を有するように磁石を配置してもよい。スライド板１０を引き出した際には、レール２２、２４の中央付近において大きな力（モーメント）が発生するため、そのモーメントに抗する磁力を、特にその付近で発生するのが好ましい。
【００２１】
図６は、スライド板１０の側面図である。突起部３２及び３４は、図５に関して説明した切欠経路２６並びに２８に対応する位置に設けられる。つまりは、突起部３２、３４は、スライド板１０を第２キャビネット５４に取り付けたときに、それぞれの切欠経路２６、２８に挿入されるように、スライド板１０の両端に設けられる。突起部３２、３４はスライド板１０の底面より突起しており、スライド時にこの突起部がストッパ３０に接触することにより、スライド板１０の移動を制限することが可能となる。図５を参照して、この例では、切欠経路２６、２８、及び対応する突起部３２、３４により、該スライド板１０が、第１キャビネット５２の側にもスライドし、且つ、第１キャビネット５２から離れる方向にもスライドすることが可能であり、そのスライド量は、スライド板１０のスライド方向長さのほぼ半分に制限される。
【００２２】
図７は、レール２２とガイド溝１２の接合部分の断面図である。この図を用いてレール２２と、磁石１６、１８における磁極の関係について説明する。この実施の形態においては、磁石１８とレール２２との間に、引力が働くように磁石を配置し、磁石１６とレール２２との間に、反力が働くように磁石を配置する。具体的には、レール２２の上面にＮ極、下面にＳ極を配置する場合には、磁石１８の下面をＳ極に、磁石１６の上面をＳ極となるように、それぞれの磁極を配置させる。そのため、天板４８から見ると、スライド板１０には、下向きに押さえつけるための力が印加されることとなる。このように、スライド板１０は下方向に押さえつけるような磁力を受けるが、スライド方向は、磁力の方向に対してほぼ垂直な方向であるため、スライド板１０は、比較的容易に動かすことができる。
【００２３】
以上、本発明を実施の形態をもとに説明したが、本発明の技術的範囲は上記実施の形態に記載した範囲に限定されず、いろいろな変形が可能なこと、そうした変形例もまた本発明の範囲にあることも当業者に明らかである。
【００２４】
第１の変形例として、実施の形態では、スライド板１０の側面にガイド溝を設けることとしたが、スライド板１０の底面にガイド溝を設けてもよい。図８は、スライド板１０の底面にガイド溝６０を設けたガイド周辺の断面図である。ガイド溝６０は、スライド板１０の底面に取り付けられる。レール６２は、第２キャビネット５４の上面２９において、ガイド溝６０に対向する位置に取り付けられる。レール６２は、ガイド６０が外れないように突起部６４を有する。ガイド溝６０は、脱落防止部材６６を有する。このように、レール６２は、上方が下方より膨らんだ形状になっており、ガイド溝６０は、その膨らんだ部分を包み込むような形状になっている。
【００２５】
レール６２の上面とガイド溝６０が接触する部分Ａに引力が働くように、ガイド溝６０およびレール６２の磁極が配置される。突起部６４と脱落防止部材６６とが向かい合う部分Ｂにおいては、それぞれが反発しあうように磁極が配置される。これにより、スライド板１０が引き出されて後端部分に上向きの力が加わる場合に、それに抗する磁力を与えることができる。ガイド溝６０およびレール６２は、それぞれスライド板１０および第２キャビネット５４に埋め込まれるようにして形成されてもよい。
【００２６】
第２の変形例として、第２キャビネット５４の上面２９に磁石を設け、スライド板の底面に磁石、金属などの磁力を引き付ける部材を設けて、スライド板に下向きの力を加える磁力印加手段を構成してもよい。
【００２７】
図９（ａ）は、スライド板を取り外した状態の第２の天板４８を真上から見た図である。スライド板のスライド方向に対して、レール７２、７４が設けられている。磁石７６、７８は第２キャビネット５４の上面２９にそれぞれ設けられている。この例においては、レールやガイドを磁石で構成するよりも、大きな磁石を利用することができるため、強力な磁力を発生させることが可能となる。磁石７６、７８は永久磁石であっても、電磁石であってもよい。
【００２８】
図９（ｂ）は、スライド板８８の底面の図である。ガイド溝８０、８２が底面に設けられており、図９（ａ）に示したレール７２、７４が、これらのガイド溝８０、８２に挿入される。この例では、図９におけるレール７２、７４とガイド溝８０、８２は、図８に示した形状を有している。また、スライド板８８の底面には、磁石８４、及び８６が設けられている。このように、底面に磁石の配置されたスライド板８８を図９（ａ）を用いて説明した第２キャビネット５４に取り付けることで、スライド板８８を引き出したときに、後端部分に下向きの力を加えることができる。
【００２９】
また、電磁石を用いる場合には、スライド板８８を引き出したことをトリガとして、磁力を発生するように構成してもよい。このとき、例えば、スライド板８８を引き出している最中には磁力を発生させず、所定の量だけ引き出したときに、磁力が発生されるように構成してもよい。この構成は、スライド板８８を所定量引き出したときに、電磁石に対して電流を供給するスイッチユニットを設けることにより実現される。図９（ａ）および（ｂ）においては、磁石が上面２９およびスライド板８８の双方に設けられている状態が示されているが、電磁石は、上面２９ないしスライド板８８のいずれか一方に設けられ、他方には、金属などの常磁性体材料が設けられていればよい。
【００３０】
第３の変形例として、スライド板１０に載せた食器などの転落を防ぐために、スライド板１０の周囲を凸部で囲んでもよい。また、摩擦係数の高い材質で、スライド板１０の上面を形成し、食器の転落を防いでもよい。
【００３１】
【発明の効果】
本発明によれば、スライドユニットを引き出したとき、スライドユニットの下方への傾きを小さくできるという効果を実現することができる。
【図面の簡単な説明】
【図１】従来のシステムキッチンを示す図である。
【図２】実施の形態に係るシステムキッチンを示す図である。
【図３】レールとガイドの接触状態を示す図である。
【図４】キャビネットからスライド板を引き出した状態の斜視図である。
【図５】キャビネットのスライド板の取付部周辺の斜視図である。
【図６】スライド板の側面図である。
【図７】レール部分の磁石の磁極を示す図である。
【図８】レールとガイドの形状を示す図である。
【図９】キャビネットを上面から見た図と、スライド板の底面の図である。
【符号の説明】
１０  スライド板、１１  取っ手、１２  ガイド溝、１６  磁石、２２  レール、２６  切欠経路、３０  ストッパ、３２  突起部、１００  システムキッチン
【図１】
0003593326.tif 000002
【図２】
0003593326.tif 000003
【図３】
0003593326.tif 000004
【図４】
0003593326.tif 000005
【図５】
0003593326.tif 000006
【図６】
0003593326.tif 000007
【図７】
0003593326.tif 000008
【図８】
0003593326.tif 000009
【図９】
0003593326.tif 000010